(57)【要約】【課題】  本発明の目的は、インバランスが良い画像を得ることができる感熱転写記録用シートセット（感熱転写記録用インクシート及び感熱転写受像シート）を提供することである。【解決手段】  受像シートの受像層に、一般式（１）または（２）で示される化合物を含有させ、インクシートのイエロー色材層、および、シアン色材層に所定の染料を含有させる。【選択図】  なし【特許請求の範囲】
【請求項１】
インクシートと受像シートとを有する感熱転写記録用シートセットであって、
該受像シートは、基材上に、下記一般式（１）で表される化合物及び下記一般式（２）で表される化合物からなる群より選ばれる１種以上の化合物を含有する受像層を設けた感熱転写受像シートであり、
該インクシートは、基材上に、イエロー染料を含有する色材層、マゼンタ染料を含有する色材層、及びシアン染料を含有する色材層を有する感熱転写記録用インクシートであり、
該イエロー染料は、下記一般式（３）〜（６）で表される化合物群から選ばれる１種以上の化合物を含み、
該シアン染料は、下記一般式（７）〜（９）で表される化合物群から選ばれる１種以上の化合物を含む、
ことを特徴とする感熱転写記録用シートセット。
【化１】
2018089960.tif 000050
［一般式（１）中、Ｒ１〜Ｒ８は、各々独立して、置換基を有していてもよい炭素数３〜８のアルキル基、置換基を有していてもよいアルケニル基、置換基を有していてもよいアラルキル基、置換基を有していてもよいアルキニル基、または、置換基を有していてもよいアリール基を示し、Ｒ１とＲ２、Ｒ３とＲ４、Ｒ５とＲ６、および、Ｒ７とＲ８は、それぞれ結合して環を形成してもよく、Ｘ−は陰イオンを示す。］
【化２】
2018089960.tif 000051
［一般式（２）中、Ｒ’１〜Ｒ’８は、各々独立して、置換基を有していてもよい炭素数３〜８のアルキル基、置換基を有していてもよいアルケニル基、置換基を有していてもよいアラルキル基、置換基を有してもよいアルキニル基、または、置換基を有していてもよいアリール基を示し、Ｒ’１とＲ’２、Ｒ’３とＲ’４、Ｒ’５とＲ’６、および、Ｒ’７とＲ’８は、それぞれ結合して環を形成してもよく、Ｘ’−は陰イオンを示す。］
【化３】
2018089960.tif 000052
［一般式（３）中、Ｒ９〜Ｒ１２は、それぞれ独立して、アルキル基、または、置換基を有していてもよいアリール基を示す。］
【化４】
2018089960.tif 000053
［一般式（４）中、Ｒ１３は、アルキル基、置換基を有していてもよいアリール基、または、置換基を有していてもよいアミノ基を示し、Ｒ１４は、水素原子、アルキル基、置換基を有していてもよいアリール基、または、−Ｎ（−Ｒａ）Ｒｂを示し、ただし、Ｒａ及びＲｂは、各々独立して、水素原子、アルキル基、または、アシル基を示し、ＲａとＲｂとは互いに結合して環を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【化５】
2018089960.tif 000054
［一般式（５）中、Ｒ１７及びＲ１８は、それぞれ独立して、アルキル基、または、アリール基を示す。］
【化６】
2018089960.tif 000055
［一般式（６）中、Ｒ１９及びＲ２０は、それぞれ独立して、アルキル基、または、アリール基を示す。］
【化７】
2018089960.tif 000056
［一般式（７）中、Ｒ２１〜Ｒ２５は、それぞれ独立して、アルキル基、または、アリール基を示す。］
【化８】
2018089960.tif 000057
［一般式（８）中、Ｒ２６及びＲ２７は、それぞれ独立して、アルキル基、または、置換基を有していてもよいアリール基を示す。］
【化９】
2018089960.tif 000058
［一般式（９）中、Ｒ２８〜Ｒ３２は、それぞれ独立して、アルキル基、または、アリール基を示す。］
【請求項２】
前記受像層が、前記一般式（１）で表される化合物を含有しており、
前記一般式（１）中のＲ１〜Ｒ８が、それぞれ独立して、炭素数３〜８のアルキル基である請求項１に記載の感熱転写記録用シートセット。
【請求項３】
前記受像層が、前記一般式（１）で表される化合物を含有しており、
前記一般式（１）中のＲ１とＲ２、Ｒ３とＲ４、Ｒ５とＲ６、および、Ｒ７とＲ８が、それぞれ同一の置換基である請求項１または２に記載の感熱転写記録用シートセット。
【請求項４】
前記受像層が、前記一般式（２）で表される化合物を含有しており、
前記一般式（２）中のＲ’１〜Ｒ’８が、それぞれ独立して、炭素数３〜８のアルキル基である請求項１に記載の感熱転写記録用シートセット。
【請求項５】
前記受像層が、前記一般式（２）で表される化合物を含有しており、
前記一般式（２）中のＲ’１とＲ’２、Ｒ’３とＲ’４、Ｒ’５とＲ’６、および、Ｒ’７とＲ’８が、それぞれ同一の置換基である請求項１または４に記載の感熱転写記録用シートセット。
【請求項６】
前記マゼンタ染料が、下記一般式（１０）〜（１４）で表される化合物群から選ばれる１種以上の化合物を含有する請求項１乃至５のいずれか１項に記載の感熱転写記録用シートセット。
【化１０】
2018089960.tif 000059
［一般式（１０）中、Ｒ３３は、エーテル官能性の酸素原子を含んでいてもよいアルキル基、または、置換基を有していてもよいアリール基を示す。］
【化１１】
2018089960.tif 000060
［一般式（１１）中、Ｒ３４及びＲ３５は、それぞれ独立して、アルキル基、または、置換基を有していてもよいアリール基を示す。］
【化１２】
2018089960.tif 000061
［一般式（１２）中、Ｒ３６〜Ｒ４０は、それぞれ独立して、アルキル基、または、置換基を有していてもよいアリール基を示す。］
【化１３】
2018089960.tif 000062
［一般式（１３）中、Ｒ４１〜Ｒ４４は、それぞれ独立して、アルキル基、または、置換基を有していてもよいアリール基を示す。］
【化１４】
2018089960.tif 000063
［一般式（１４）中、Ｒ４５及びＲ４６は、それぞれ独立して、アルキル基を示し、Ｒ４７は、水素原子、アルキル基、または、置換基を有していてもよいアリール基を示し、Ｒ４８は、アルキル基、または、置換基を有していてもよいアリール基を示し、Ｒ４９は、水素原子、アルキル基、置換基を有していてもよいアリール基、または、−Ｎ（−Ｒ５０）Ｒ５１を示し、Ｒ５０及びＲ５１は、それぞれ独立して、水素原子、アルキル基、アリール基、または、アシル基を示すか、Ｒ５０とＲ５１とが互いに結合して形成される環状構造を示す。］
【請求項７】
インクシートと受像シートとを重ね合わせ、加熱手段を用いて該インクシートを加熱することにより、インクシートの色材を受像シートに転写させて画像を形成する画像形成方法であって、
該受像シートは、基材上に、下記一般式（１）で表される化合物及び下記一般式（２）で表される化合物からなる群より選ばれる１種以上の化合物を含有する受像層を設けた感熱転写受像シートであり、
該インクシートは、基材上に、イエロー染料を含有する色材層、マゼンタ染料を含有する色材層、及びシアン染料を含有する色材層を有する感熱転写記録用インクシートであり、
該イエロー染料は、下記一般式（３）〜（６）で表される化合物群から選ばれる１種以上の化合物を含み、
該シアン染料は、下記一般式（７）〜（９）で表される化合物群から選ばれる１種以上の化合物を含む、
ことを特徴とする画像形成方法。
【化１５】
2018089960.tif 000064
［一般式（１）中、Ｒ１〜Ｒ８は、各々独立して、置換基を有していてもよい炭素数３〜８のアルキル基、置換基を有していてもよいアルケニル基、置換基を有していてもよいアラルキル基、置換基を有していてもよいアルキニル基、または、置換基を有していてもよいアリール基を示し、Ｒ１とＲ２、Ｒ３とＲ４、Ｒ５とＲ６、および、Ｒ７とＲ８は、それぞれ結合して環を形成してもよく、Ｘ−は陰イオンを示す。］
【化１６】
2018089960.tif 000065
［一般式（２）中、Ｒ’１〜Ｒ’８は、各々独立して、置換基を有していてもよい炭素数３〜８のアルキル基、置換基を有していてもよいアルケニル基、置換基を有していてもよいアラルキル基、置換基を有してもよいアルキニル基、または、置換基を有していてもよいアリール基を示し、Ｒ’１とＲ’２、Ｒ’３とＲ’４、Ｒ’５とＲ’６、および、Ｒ’７とＲ’８は、それぞれ結合して環を形成してもよく、Ｘ’−は陰イオンを示す。］
【化１７】
2018089960.tif 000066
［一般式（３）中、Ｒ９〜Ｒ１２は、それぞれ独立して、アルキル基、または、置換基を有していてもよいアリール基を示す。］
【化１８】
2018089960.tif 000067
［一般式（４）中、Ｒ１３は、アルキル基、置換基を有していてもよいアリール基、または、置換基を有していてもよいアミノ基を示し、Ｒ１４は、水素原子、アルキル基、置換基を有していてもよいアリール基、または、−Ｎ（−Ｒａ）Ｒｂを示し、ただし、Ｒａ及びＲｂは、各々独立して、水素原子、アルキル基、または、アシル基を示し、ＲａとＲｂとは互いに結合して環を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【化１９】
2018089960.tif 000068
［一般式（５）中、Ｒ１７及びＲ１８は、それぞれ独立して、アルキル基、または、アリール基を示す。］
【化２０】
2018089960.tif 000069
［一般式（６）中、Ｒ１９及びＲ２０は、それぞれ独立して、アルキル基、または、アリール基を示す。］
【化２１】
2018089960.tif 000070
［一般式（７）中、Ｒ２１〜Ｒ２５は、それぞれ独立して、アルキル基、または、アリール基を示す。］
【化２２】
2018089960.tif 000071
［一般式（８）中、Ｒ２６及びＲ２７は、それぞれ独立して、アルキル基、または、置換基を有していてもよいアリール基を示す。］
【化２３】
2018089960.tif 000072
［一般式（９）中、Ｒ２８〜Ｒ３２は、それぞれ独立して、アルキル基、または、アリール基を示す。］
【発明の詳細な説明】
【技術分野】
【０００１】
感熱転写記録用インクシートと感熱転写受像シートとを含む感熱転写記録用シートセットに関する。
【背景技術】
【０００２】
近年、携帯式カラーディスプレイデバイスの普及に伴い、デバイスで撮影、または、作成した写真や書類を手軽にカラープリントする需要が高まっている。これらに対応するカラープリント方式としては、電子写真方式、インクジェット方式、感熱転写記録方式などが挙げられる。その中でも感熱転写記録方式は、ドライプロセスでプリントできること、小型でプリンタの携帯性に優れることから、周囲の環境によらず、手軽にプリントできる方法として優れている。また、色材として染料を用いているため、色材の濃度階調で画像の濃淡を表現できることから、画像の鮮明性、色の再現性に優れる。
【０００３】
感熱転写記録方式は、熱移行性の色材を含む色材層を有する感熱転写記録用インクシートと、色材受像層を表面に有する感熱転写受像シートとを重ね合わせ、感熱転写記録用インクシートを加熱することによりインクシートに担持された色材を受像シートに転写して記録を行う画像形成方法である。
【０００４】
感熱転写記録方式において、印画物の耐光性を向上させる目的で、感熱転写記録用シートおよび／または受像シートに、退色防止剤を使用した例（特許文献１）、一重項酸素消光剤を使用した例（特許文献２）が提案されている。
【先行技術文献】
【特許文献】
【０００５】
【特許文献１】特開２００１−１５８８７９号公報
【特許文献２】特開平７−１５６５６２号公報
【発明の概要】
【発明が解決しようとする課題】
【０００６】
感熱転写記録方式では、イエロー、マゼンタ、シアンを重ねて記録するため、混色した場合に染料間での触媒褪色が起こることが知られている。そのため、単色では耐光性が高い染料を用いても、混色時、各色間において耐光性に差が生じ、例えばブラック画像中でシアンのみが褪色し、ブラック画像が赤味や黄味を帯びてしまうという課題がある。このような画像中での各色間の褪色度合いの差を「インバランス」という。すべての色が同じ程度に褪色する場合は「インバランスが良い」といい、特定の色のみが優先して褪色する場合は「インバランスが悪い」という。従来公知の感熱転写記録方式による画像形成においては、このインバランスに関して未だ改善の余地があった。
【０００７】
そのため、本発明の目的は、インバランスが良い画像を得ることができる、感熱転写記録用インクシートと感熱転写受像シートとを含む感熱転写記録用シートセットを提供することである。
【課題を解決するための手段】
【０００８】
本発明は、インクシートと受像シートとを有する感熱転写記録用シートセットであって、
該受像シートは、基材上に、下記一般式（１）で表される化合物及び下記一般式（２）で表される化合物からなる群より選ばれる１種以上の化合物を含有する受像層を設けた感熱転写受像シートであり、
該インクシートは、基材上に、イエロー染料を含有する色材層、マゼンタ染料を含有する色材層、及びシアン染料を含有する色材層を有する感熱転写記録用インクシートであり、
該イエロー染料は、下記一般式（３）〜（６）で表される化合物群から選ばれる１種以上の化合物を含み、
該シアン染料は、下記一般式（７）〜（９）で表される化合物群から選ばれる１種以上の化合物を含む、
ことを特徴とする感熱転写記録用シートセット。
【０００９】
【化１】
2018089960.tif 000002
【００１０】
［一般式（１）中、Ｒ１〜Ｒ８は、各々独立して、置換基を有していてもよい炭素数３〜８のアルキル基、置換基を有していてもよいアルケニル基、置換基を有していてもよいアラルキル基、置換基を有していてもよいアルキニル基、または、置換基を有していてもよいアリール基を示し、Ｒ１とＲ２、Ｒ３とＲ４、Ｒ５とＲ６、および、Ｒ７とＲ８は、それぞれ結合して環を形成してもよく、Ｘ−は陰イオンを示す。］
【００１１】
【化２】
2018089960.tif 000003
【００１２】
［一般式（２）中、Ｒ’１〜Ｒ’８は、各々独立して、置換基を有していてもよい炭素数３〜８のアルキル基、置換基を有していてもよいアルケニル基、置換基を有していてもよいアラルキル基、置換基を有してもよいアルキニル基、または、置換基を有していてもよいアリール基を示し、Ｒ’１とＲ’２、Ｒ’３とＲ’４、Ｒ’５とＲ’６、および、Ｒ’７とＲ’８は、それぞれ結合して環を形成してもよく、Ｘ’−は陰イオンを示す。］
【００１３】
【化３】
2018089960.tif 000004
【００１４】
［一般式（３）中、Ｒ９〜Ｒ１２は、それぞれ独立して、アルキル基、または、置換基を有していてもよいアリール基を示す。］
【００１５】
【化４】
2018089960.tif 000005
【００１６】
［一般式（４）中、Ｒ１３は、アルキル基、置換基を有していてもよいアリール基、または、置換基を有していてもよいアミノ基を示し、Ｒ１４は、水素原子、アルキル基、置換基を有していてもよいアリール基、または、−Ｎ（−Ｒａ）Ｒｂを示し、ただし、Ｒａ及びＲｂは、各々独立して、水素原子、アルキル基、または、アシル基を示し、ＲａとＲｂとは互いに結合して環を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【００１７】
【化５】
2018089960.tif 000006
【００１８】
［一般式（５）中、Ｒ１７及びＲ１８は、それぞれ独立して、アルキル基、または、アリール基を示す。］
【００１９】
【化６】
2018089960.tif 000007
【００２０】
［一般式（６）中、Ｒ１９及びＲ２０は、それぞれ独立して、アルキル基、または、アリール基を示す。］
【００２１】
【化７】
2018089960.tif 000008
【００２２】
［一般式（７）中、Ｒ２１〜Ｒ２５は、それぞれ独立して、アルキル基、または、アリール基を示す。］
【００２３】
【化８】
2018089960.tif 000009
【００２４】
［一般式（８）中、Ｒ２６及びＲ２７は、それぞれ独立して、アルキル基、または、置換基を有していてもよいアリール基を示す。］
【００２５】
【化９】
2018089960.tif 000010
【００２６】
［一般式（９）中、Ｒ２８〜Ｒ３２は、それぞれ独立して、アルキル基、または、アリール基を示す。］
に関する。
【００２７】
また、本発明は、上記の感熱転写記録用シートセットを用いて画像形成を行う画像形成方法に関する。
【発明の効果】
【００２８】
本発明によれば、インバランスが良い画像を得ることが可能な感熱転写記録用シートセットを提供することができる。
【発明を実施するための形態】
【００２９】
以下に、本発明を更に詳細に説明する。
【００３０】
本発明者らは、上記の課題を解決すべく鋭意検討を行った結果、
基材上に、後述する一般式（１）で表される化合物及び下記一般式（２）で表される化合物からなる群より選ばれる１種以上の化合物を含有する受像層を設けた感熱転写受像シートと、
基材上に、後述する一般式（３）〜（６）で表される化合物群から選ばれる１種以上の化合物を含むイエロー染料を含有する色材層、マゼンタ染料を含有する色材層、及び後述する一般式（７）〜（９）で表される化合物群から選ばれる１種以上の化合物を含むシアン染料を含有する色材層を有する感熱転写記録用インクシートと、
を併用することによって、インバランスが良い画像を形成することができるということを見出した。
【００３１】
＜感熱転写記録用シートセット＞
感熱転写記録用シートセットとは、インクシートと受像シートとを有するもので、それらの形態は特に限定されるものではない。例えば、インクシートと受像シートとを重ね合わせて、インクシートを加熱することにより、インクシート中の色材を受像シートに転写して、受像シート上に画像を形成する構成になっているものを指す。
【００３２】
＜受像シートに担持される受像層に含有される化合物＞
受像シートの基材上に形成される受像層に含有させる化合物について説明する。
【００３３】
受像層には、下記一般式（１）または一般式（２）で表される化合物を含有させる。
【００３４】
【化１０】
2018089960.tif 000011
【００３５】
［一般式（１）中、Ｒ１〜Ｒ８は、各々独立して、置換基を有していてもよい炭素数３〜８のアルキル基、置換基を有していてもよいアルケニル基、置換基を有していてもよいアラルキル基、置換基を有していてもよいアルキニル基、または、置換基を有していてもよいアリール基を示し、Ｒ１とＲ２、Ｒ３とＲ４、Ｒ５とＲ６、および、Ｒ７とＲ８は、それぞれ結合して環を形成してもよく、Ｘ−は陰イオンを示す。］
【００３６】
【化１１】
2018089960.tif 000012
【００３７】
［一般式（２）中、Ｒ’１〜Ｒ’８は、各々独立して、置換基を有していてもよい炭素数３〜８のアルキル基、置換基を有していてもよいアルケニル基、置換基を有していてもよいアラルキル基、置換基を有してもよいアルキニル基、または、置換基を有していてもよいアリール基を示し、Ｒ’１とＲ’２、Ｒ’３とＲ’４、Ｒ’５とＲ’６、および、Ｒ’７とＲ’８は、それぞれ結合して環を形成してもよく、Ｘ’−は陰イオンを示す。］
【００３８】
一般式（１）または一般式（２）中、Ｒ１〜Ｒ８またはＲ’１〜Ｒ’８が示すことのできる、置換基を有していてもよい炭素数３〜８のアルキル基は、（置換基の炭素数を含む）合計の炭素数が３〜８のアルキル基であれば、特に限定されるものではなく、直鎖状、分岐状、環状のいずれでもよい。置換基としては、例えば、アルコキシ基、及び、シアノ（ニトリル）基（−ＣＮ）を挙げることができる。具体的には、ｎ−プロピル基、ｉｓｏ−プロピル基、ｎ−ブチル基、ｓｅｃ−ブチル基、ｔｅｒｔ−ブチル基、ｉｓｏ−ブチル基、オクチル基、シクロブチル基、シクロペンチル基、シクロヘキシル基、メチルシクロヘキシル基、２−エチルプロピル基、２−エチルヘキシル基、メトキシプロピル基、シアノプロピル基が挙げられる。特に、ｎ−プロピル基、ｉｓｏ−プロピル基、ｎ−ブチル基、ｓｅｃ−ブチル基の場合、インバランスが改善された画像が得られるため好ましい。
【００３９】
一般式（１）または一般式（２）中、Ｒ１〜Ｒ８またはＲ’１〜Ｒ’８が示すことのできる置換基を有していてもよいアルケニル基は、特に限定されるものではない。なお、置換基としては、例えば、ヒドロキシ基（−ＯＨ）及び、カルボキシ基（−ＣＯＯＨ）を挙げることができる。また、（置換基の炭素数を含む）アルケニル基の合計炭素数は、例えば、２〜８とすることができる。
【００４０】
置換基を有していてもよいアルケニル基としては、具体的には、ビニル基、プロペニル基、ブテニル基、ペンテニル基、ヘキセニル基、ヘプテニル基、オクテニル基、２−ヒドロキシビニル基、３−ヒドロキシプロペニル基、３−カルボキシプロペニル基が挙げられる。
【００４１】
一般式（１）または一般式（２）中、Ｒ１〜Ｒ８またはＲ’１〜Ｒ’８が示すことのできる置換基を有していてもよいアラルキル基は、特に限定されるものではない。なお、置換基としては、例えば、アルキル基、並びに、ハロゲン原子（例えば、クロロ基及びフルオロ基）を挙げることができる。また、（置換基の炭素数を含む）アラルキル基の合計炭素数は、例えば、７〜１２とすることができる。
【００４２】
置換基を有していてもよいアラルキル基としては、具体的には、ベンジル基、ｐ−クロロベンジル基、ｐ−メチルベンジル基、フェネチル基（２−フェニルエチル基）、３−フェニルプロピル基、α−ナフチルメチル基、β−ナフチルエチル基が挙げられる。
【００４３】
一般式（１）または一般式（２）中、Ｒ１〜Ｒ８またはＲ’１〜Ｒ’８が示すことのできる置換基を有していてもよいアルキニル基は、特に限定されるものではない。なお、置換基としては、例えば、ヒドロキシ基、カルボキシ基、及び、ハロゲン原子（例えば、クロロ基及びフルオロ基）を挙げることができる。また、（置換基の炭素数を含む）アルキニル基の合計炭素数は、例えば、３〜６とすることができる。
【００４４】
置換基を有していてもよいアルキニル基としては、具体的には、プロバルギル基、ブチニル基、ペンチニル基、ヘキシニル基、２−ヒドロキシブチニル基、２−カルボキシペンチニル基、２−クロロブチニル基が挙げられる。
【００４５】
一般式（１）または一般式（２）中、Ｒ１〜Ｒ８またはＲ’１〜Ｒ’８が示すことのできる置換基を有していてもよいアリール基は、特に限定されるものではない。なお、置換基としては、例えば、アルキル基、及び、アルコキシ基を挙げることができる。また、（置換基の炭素数を含む）アリール基の合計炭素数は、例えば、６〜１２とすることができる。
【００４６】
置換基を有していてもよいアリール基としては、具体的には、フェニル基、トリル基（例えば、２−メチルフェニル基）、３−プロピルフェニル基、キシリル基（例えば２，６−ジメチルフェニル基）、ナフチル基、α−メチルナフチル基、及び、β−エチルナフチル基が挙げられる。
【００４７】
更に、一般式（１）においては、Ｒ１とＲ２、Ｒ３とＲ４、Ｒ５とＲ６、および、Ｒ７とＲ８は、それぞれ結合して、環を形成してもよい。より具体的に説明すると、これらの各組み合わせ（例えばＲ１とＲ２）と、（各組み合わせ（例えばＲ１とＲ２）が結合している）窒素原子（Ｎ原子）とを含む、環状構造を形成しても良い。例えば、置換基を有していてもよい５員環、置換基を有していてもよい６員環、置換基を有していてもよい７員環を挙げることができる。具体的には、５員環としてはピロリジン環、６員環としてはピペリジン環、モルホリン環、ピペラジン環、７員環としてはアゼパン環を例示できる。
【００４８】
同様に、一般式（２）においても、Ｒ’１とＲ’２、Ｒ’３とＲ’４、Ｒ’５とＲ’６、及び、Ｒ’７とＲ’８はそれぞれ結合して環を形成しても良い。より具体的に説明すると、これらの各組み合わせ（例えばＲ’１とＲ’２）と、（各組み合わせ（例えばＲ’１とＲ’２）が結合している）窒素原子（Ｎ原子）とを含む、環状構造を形成しても良い。この各組み合わせと窒素原子とを含む環状構造としては、特に限定されず、例えば、上述した一般式（１）と同様な環状構造をとることができる。
【００４９】
なお、一般式（１）中の、Ｒ１とＲ２、Ｒ３とＲ４、Ｒ５とＲ６、及び、Ｒ７とＲ８は、それぞれ同一の置換基を示すことが好ましい。同様に、一般式（２）中の、Ｒ’１とＲ’２、Ｒ’３とＲ’４、Ｒ’５とＲ’６、及び、Ｒ’７とＲ’８は、それぞれ同一の置換基を示すことが好ましい。これらが同一の置換基を示すことにより、インバランスが改善された画像が得やすいため、好ましい。
【００５０】
また、一般式（１）及び（２）中の、Ｒ１〜Ｒ８及びＲ’１〜Ｒ’８は、インバランスがより改善された画像が得やすくなるため、各々独立して、置換基を有していてもよい炭素数３〜８のアルキル基を示すことが好ましい。特に、（無置換の）アルキル基又はシアノアルキル基の場合、より好ましい。
【００５１】
一般式（１）または一般式（２）において、Ｘ−またはＸ’−が示すことのできる、陰イオンは特に限定されるものではない。具体的には、フッ素イオン、塩素イオン、臭素イオン、ヨウ素イオン、過塩素酸イオン（ＣｌＯ４−）、硝酸イオン、メタンスルホン酸イオン、ベンゼンスルホン酸イオン、ｐ−トルエンスルホン酸イオン、ｐ−トリフルオロメチルベンゼンスルホン酸イオン、２，３，４，５，６−ペンタフルオロベンゼンスルホン酸イオン、メチル硫酸イオン、エチル硫酸イオン、プロピル硫酸イオン、テトラフルオロホウ酸イオン（ＢＦ４−）、テトラフェニルホウ酸イオン、ヘキサフルオロリン酸イオン（ＰＦ６−）、ベンゼンスルフィン酸イオン、酢酸イオン、トリフルオロ酢酸イオン、プロピオン酢酸イオン、安息香酸イオン、しゅう酸イオン、コハク酸イオン、マロン酸イオン、オレイン酸イオン、ステアリン酸イオン、クエン酸イオン、ピコリン酸イオン、一水素二リン酸イオン、二水素二リン酸イオン、ペンタフルオロプロピオン酸イオン、クロロスルホン酸イオン、フルオロスルホン酸イオン、トリフルオロメタンスルホン酸イオン、ヘキサフルオロヒ酸イオン、ヘキサフルオロアンチモン酸イオン（ＳｂＦ６−）、モリブデン酸イオン、タングステン酸イオン、チタン酸イオン、ジルコン酸イオン、ナフタレンジスルホン酸イオン、トリス（トリフルオロメタンスルホニル）メチドイオン（Ｃ（ＳＯ２ＣＦ３）３−）、ビス（トリフルオロメタンスルホニル）イミドイオン（Ｎ（ＳＯ２ＣＦ３）２−）、ペンタフルオロフェニルビス（トリフルオロメタンスルホニル）メチド、ビス（パーフルオロエタンスルホニル）イミドイオン（Ｎ（ＳＯ２ＣＦ２ＣＦ３）２−）、テトラキス（ペンタフルオロフェニル）ホウ素イオンの如き陰イオンが例示される。
【００５２】
【化１２】
2018089960.tif 000013
【００５３】
一般式（１）または（２）で表される化合物は、米国特許明細書３，２５１，８８１号、米国特許明細書３，４８４，４６７号及び特開昭６１−６９９９１号公報などに記載された公知の方法を参考にして合成することができる。例えば、次の過程により製造することができる。即ち、ウルマン反応及び還元反応により得たアミノ体を選択的に、アルキル化、アルケニル化、アラルキル化、アルキニル化等を行って置換した後、銀塩酸化或いは電解酸化反応等により化合物を得ることができる。また、Ｒ１〜Ｒ８またはＲ’１〜Ｒ’８が非対称な化合物（例えば、一般式（１）中のＲ１及びＲ２と、Ｒ５及びＲ６とが異なる化合物）を得る場合には、このアルキル化等を多段階的に行って合成すれば良い。
【００５４】
一般式（１）または（２）で表される化合物は、極大吸収波長を９００〜１，４００ｎｍの近赤外の範囲に持ち、かつ、モル吸光係数が数万〜数十万程度と大きいピークを持つ。さらに可視域での吸収が小さいため、受像シートに添加しても着色剤の色調の変化や退色を生じさせる恐れは殆どない。
【００５５】
なお、一般式（１）または（２）で表される化合物は、一種類に限定されるものではなく、二種類以上を適宜混合して使用してもよい。
【００５６】
一般式（１）または（２）で表される化合物の好ましい例として、化合物（１）〜（２９）、化合物（１２２）〜（１３２）を以下に示すが、下記の化合物に限定されるものではない。
【００５７】
【化１３】
2018089960.tif 000014
【００５８】
【化１４】
2018089960.tif 000015
【００５９】
【化１５】
2018089960.tif 000016
【００６０】
上記化合物のうち、（１）、（３）、（５）、（９）、（１１）、（２０）、（２２）、（２３）、（２５）、（２６）、（１２２）、（１２３）、（１２４）のうちの少なくとも１種を用いることが好ましい。これらの化合物を用いることにより、インバランスがより改善された画像を得られやすくなる。特に、（１）、（３）、（２０）、（２５）、（１２２）、（１２４）のうちの少なくとも１種を用いることが好ましい。
【００６１】
＜インクシートに担持される色材層に含有される染料＞
インクシートの色材層に含有される染料について説明する。
【００６２】
＜イエロー染料＞
一般式（３）で表されるイエロー染料について説明する。
【００６３】
【化１６】
2018089960.tif 000017
【００６４】
［一般式（３）中、Ｒ９〜Ｒ１２は、それぞれ独立して、アルキル基、または、置換基を有していてもよいアリール基を示す。］
一般式（３）中、Ｒ９〜Ｒ１２が示すことのできるアルキル基は、特に限定されるものではなく、直鎖状、分岐状、もしくは、環状の、炭素数１〜２０個の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基が挙げられる。特に、炭素数１〜４のアルキル基が、インバランスがより改善された画像が得られるため好ましい。
【００６５】
一般式（３）中、Ｒ９〜Ｒ１２が示すことのできる、置換基を有していてもよいアリール基は、特に限定されるものではない。置換基としては、例えば、アルキル基を挙げることができる。また、（置換基の炭素数を含む）アリール基の合計炭素数は、例えば、６〜１０とすることができる。
【００６６】
この置換基を有していてもよいアリール基としては、例えば、フェニル基、トリル基（２−メチルフェニル基、３−メチルフェニル基、４−メチルフェニル基）、及び、ナフチル基が挙げられる。これらのアリール基の中では、特に、フェニル基であることが、インバランスがより改善された画像が得られやすいため好ましい。
【００６７】
一般式（３）で表される化合物の好ましい例として、化合物（３０）〜（３７）を以下に示すが、下記の化合物に限定されるものではない。
【００６８】
【化１７】
2018089960.tif 000018
【００６９】
これらの中で、化合物（３２）〜（３５）がイエロー染料として好ましい。そして、化合物（３２）が、インバランスがさらに改善された画像が得られるため、特に好ましい。
【００７０】
次に、一般式（４）で表されるイエロー染料について説明する。
【００７１】
【化１８】
2018089960.tif 000019
【００７２】
［一般式（４）中、Ｒ１３は、アルキル基、置換基を有していてもよいアリール基、または、置換基を有していてもよいアミノ基を示し、Ｒ１４は、水素原子、アルキル基、置換基を有していてもよいアリール基、または、−Ｎ（−Ｒａ）Ｒｂを示し、ただし、Ｒａ及びＲｂは、各々独立して、水素原子、アルキル基、または、アシル基を示し、ＲａとＲｂとは互いに結合して環を形成してもよく、Ｒ１５は、アルキル基を示し、Ｒ１６は、水素原子、または、アルキル基を示し、Ｙは、カルボニル基、または、スルホニル基を示し、ｎは、１〜３の整数を示す。］
【００７３】
一般式（４）中、Ｒ１３が示すことのできるアルキル基は、アルキル基であれば特に限定されるものではない。このアルキル基としては、例えば、メチル基、エチル基、プロピル基、ブチル基等の、直鎖状もしくは分岐状の炭素数１〜４のアルキル基が挙げられる。
【００７４】
一般式（４）中、Ｒ１３が示すことのできる、置換基を有していてもよいアリール基は、置換もしくは無置換のアリール基であれば、特に限定されるものではない。置換基としては、例えば、メチル基等のアルキル基を挙げることができる。また、（置換基の炭素数を含む）アリール基の合計炭素数は、例えば、６〜１２とすることができる。
【００７５】
この置換基を有していてもよいアリール基としては、例えば、フェニル基、トリル基（２−メチルフェニル基、３−メチルフェニル基、４−メチルフェニル基）が挙げられる。
【００７６】
一般式（４）中、Ｒ１３が示すことのできる、置換基を有していてもよいアミノ基（−ＮＨ２、−ＮＨＲｃ、−ＮＲｃＲｄ（Ｒｃ及びＲｄは置換基を表す））は、置換もしくは無置換のアミノ基であれば、特に限定されるものではない。置換基としては、例えば、メチル基、エチル基などのアルキル基を挙げることができる。
【００７７】
この置換基を有していてもよいアミノ基としては、例えば、モノメチルアミノ基、ジメチルアミノ基、ジエチルアミノ基が挙げられる。
【００７８】
これらの中でも、インバランスがより改善された画像が得られやすいことから、Ｒ１３はアルキル基であることが好ましい。さらに、同様の観点から、Ｒ１３はメチル基であることがより好ましい。
【００７９】
一般式（４）中、Ｒ１４が示すことのできるアルキル基は、アルキル基であれば特に限定されるものではない。このアルキル基としては、例えば、直鎖状、分岐状、もしくは、環状の、炭素数１〜２０の１級〜３級のアルキル基が挙げられる。
【００８０】
より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基等が挙げられる。
【００８１】
これらのアルキル基の中では、インバランスがより改善された画像が得られやすいことから、メチル基、エチル基、ｎ−プロピル基、ｉｓｏ−プロピル基、ｎ−ブチル基、及び、２−エチルヘキシル基が好ましい。さらに、同様の観点から、特に、エチル基、及び、ｎ−プロピル基がより好ましい。
【００８２】
一般式（４）中、Ｒ１４が示すことのできる、置換基を有していてもよいアリール基は、置換もしくは無置換のアリール基であれば、特に限定されるものではない。このアリール基としては、例えば、一般式（４）のＲ１３において上述したものを同様に挙げることができる。
【００８３】
一般式（４）中、Ｒ１４が−Ｎ（−Ｒａ）Ｒｂを示す場合、このＲａ及びＲｂが示すことのできるアルキル基は、アルキル基であれば特に限定されるものではない。このアルキル基としては、例えば、一般式（４）のＲ１４において上述したものを同様に挙げることができる。
【００８４】
一般式（４）中、Ｒ１４が−Ｎ（−Ｒａ）Ｒｂを示す場合、このＲａ及びＲｂが示すことのできるアシル基は、アシル基であれば特に限定されるものではない。このアシル基としては、例えば、アセチル基、エチルヘキシノイル基等のアルキルカルボニル基、ベンゾイル基等のアリールカルボニル基が挙げられる。
【００８５】
一般式（４）中、Ｒ１４が−Ｎ（−Ｒａ）Ｒｂを示す場合、このＲａ及びＲｂが互いに結合して形成する環状構造としては、インバランスの観点から適宜選択でき、環状構造であれば特に限定されるものではない。この環状構造としては、例えば、ピロリジン環、ピペリジン環、アゼパン環、及び、アゾカン環が挙げられる。
【００８６】
なお、これらの中でも、Ｒａ及びＲｂのうちの少なくとも一方がアルキル基である場合、インバランスがより改善された画像が得られやすいため好ましい。さらに、同様の観点から、Ｒａ及びＲｂのうちの少なくとも一方がメチル基の場合が、より好ましい。
【００８７】
一般式（４）中、Ｒ１５及びＲ１６が示すことのできるアルキル基は、アルキル基であれば、特に限定されるものではない。このアルキル基としては、例えば、一般式（４）のＲ１４において上述したものを同様に挙げることができる。
【００８８】
また、これらの中でも、インバランスがより改善された画像が得られやすいことから、Ｒ１５及びＲ１６は、各々独立して、以下の基を示すことが好ましい。即ち、エチル基、ｎ−ブチル基、ｓｅｃ−ブチル基、ドデシル基、シクロヘキシル基、メチルシクロヘキシル基、２−エチルプロピル基、及び、２−エチルヘキシル基が好ましく、ｎ−ブチル基、及び、２−エチルヘキシル基がより好ましい。また、Ｒ１５及びＲ１６が同一のアルキル基を示す場合、インバランスがより改善された画像が得られやすいため好ましい。
【００８９】
一般式（４）中、Ｙは、カルボニル基またはスルホニル基を示すことができるが、カルボニル基を示す場合、インバランスがより改善された画像が得られやすいため好ましい。
【００９０】
一般式（４）中、ｎは１〜３の整数を示すが、ｎが１である場合、インバランスがより改善された画像が得られやすいため、好ましい。
【００９１】
なお、一般式（４）ではアゾ体が記載されているが、ヒドラゾ体である互変異性体も本発明の範疇である。
【００９２】
また、一般式（４）において、Ｒ１５（Ｒ１６−）Ｎ−Ｙ−基のフェニル基に対する接続部位は特に限定されず、適宜設定することができる。
【００９３】
一般式（４）で表される好ましい例として、化合物（３８）〜（４２）を以下に示すが、下記の化合物に限定されるものではない。
【００９４】
【化１９】
2018089960.tif 000020
【００９５】
【化２０】
2018089960.tif 000021
【００９６】
これらの中で、化合物（４０）〜（４２）が、インバランスがより改善された画像が得られるため、好ましい。
【００９７】
次に、一般式（５）で表されるイエロー染料について説明する。
【００９８】
【化２１】
2018089960.tif 000022
【００９９】
［一般式（５）中、Ｒ１７及びＲ１８は、それぞれ独立して、アルキル基、または、アリール基を示す。］
【０１００】
一般式（５）中、Ｒ１７及びＲ１８が示すことのできるアルキル基は、特に限定されるものではなく、直鎖状、分岐状、もしくは、環状の、炭素数１〜２０の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基が挙げられる。また、これらのアルキル基の中では、インバランスがより改善された画像が得られ易いことから、直鎖状又は分岐状の炭素数１〜８のアルキル基（例えば、プロピル基、ブチル基及び２−エチルヘキシル基）が好ましい。さらに、インバランスの観点から、Ｒ１７及びＲ１８はいずれも、ｎ−ブチル基であることがより好ましい。
【０１０１】
一般式（５）中、Ｒ１７及びＲ１８におけるアリール基としては、特に限定されるものではないが、例えば、フェニル基、ナフチル基が挙げられる。特に、フェニル基であることが、インバランスがより改善された画像が得られるため好ましい。
【０１０２】
一般式（５）で表される好ましい例として、化合物（４３）〜（４８）を以下に示すが、下記の化合物に限定されるものではない。
【０１０３】
【化２２】
2018089960.tif 000023
【０１０４】
これらの中で、化合物（４５）〜（４７）がイエロー染料として好ましく。また、化合物（４６）が、インバランスがより改善された画像が得られるため、特に好ましい。
【０１０５】
次に、一般式（６）で表されるイエロー染料について説明する。
【０１０６】
【化２３】
2018089960.tif 000024
【０１０７】
［一般式（６）中、Ｒ１９及びＲ２０は、それぞれ独立して、アルキル基、または、アリール基を示す。］
【０１０８】
一般式（６）中、Ｒ１９及びＲ２０が示すことのできるアルキル基は、特に限定されるものではなく、直鎖状、分岐状、もしくは、環状の炭素数１〜２０の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基が挙げられる。
【０１０９】
これらのアルキル基の中で、Ｒ１９については、直鎖状、分岐状又は環状の炭素数１〜６のアルキル基（例えば、メチル基、ブチル基、及び、シクロヘキシル基）が、好ましく、シクロヘキシル基がより好ましい。
【０１１０】
これらのアルキル基の中で、Ｒ２０については、インバランスの観点から、直鎖状の炭素数１〜８のアルキル基（例えば、メチル基、エチル基及びオクチル基）が好ましく、エチル基がより好ましい。
【０１１１】
一般式（６）中、Ｒ１９及びＲ２０が示すことのできるアリール基は、特に限定されるものではなく、例えば、フェニル基、ナフチル基が挙げられる。特に、フェニル基であることが、インバランスがより改善された画像が得られるため好ましい。
【０１１２】
一般式（６）で表される好ましい例として、化合物（４９）〜（５３）を以下に示すが、下記の化合物に限定されるものではない。
【０１１３】
【化２４】
2018089960.tif 000025
【０１１４】
これらの中で、化合物（５２）、（５３）がイエロー染料として好ましい。また、化合物（５２）が、インバランスがより改善された画像が得られるため、特に好ましい。
【０１１５】
また、イエロー染料として、調色の目的でその他のイエロー染料を加えてもよい。例えば化合物（５４）、（５５）を示すが、これらに限定されるものではない。
【０１１６】
【化２５】
2018089960.tif 000026
【０１１７】
＜シアン染料＞
次に、一般式（７）で表されるシアン染料について説明する。
【０１１８】
【化２６】
2018089960.tif 000027
【０１１９】
［一般式（７）中、Ｒ２１〜Ｒ２５は、それぞれ独立して、アルキル基、または、アリール基を示す。］
【０１２０】
一般式（７）中、Ｒ２１〜Ｒ２５が示すことのできる、アルキル基及びアリール基は、特に限定されるものではない。このアルキル基及びアリール基としては、例えば、一般式（６）のＲ１９及びＲ２０において上述したものを同様に挙げることができる。また、これらのアルキル基の中では、インバランスがより改善された画像が得られ易いことから、直鎖状又は分岐状の炭素数１〜４のアルキル基（例えば、メチル基、エチル基、ｎ−ブチル基及びｔ−ブチル基）が好ましい。さらに、これらのアルキル基の中では、インバランスの観点から、メチル基、エチル基がより好ましい。
【０１２１】
また、これらのアリール基の中では、インバランスがより改善された画像が得られやすいことから、フェニル基が好ましい。
【０１２２】
一般式（７）で表される好ましい例として、化合物（５６）〜（６２）を以下に示すが、下記の化合物に限定されるものではない。
【０１２３】
【化２７】
2018089960.tif 000028
【０１２４】
これらの中で、化合物（５６）〜（５８）がシアン染料として好ましい。また、化合物（５７）が、インバランスがより改善された画像が得られるため、特に好ましい。
【０１２５】
次に、一般式（８）で表されるシアン染料について説明する。
【０１２６】
【化２８】
2018089960.tif 000029
【０１２７】
［一般式（８）中、Ｒ２６及びＲ２７は、それぞれ独立して、アルキル基、または、置換基を有していてもよいアリール基を表す。］
一般式（８）中、Ｒ２６及びＲ２７が示すことのできるアルキル基は、特に限定されるものではない。このアルキル基としては、例えば、一般式（６）のＲ１９及びＲ２０において上述したものを同様に挙げることができる。また、これらのアルキル基の中では、直鎖状の炭素数１〜４のアルキル基（例えば、メチル基及びブチル基）が、インバランスがより改善された画像が得られやすいため好ましい。
【０１２８】
一般式（８）中、Ｒ２６及びＲ２７が示すことのできる、置換基を有していてもよいアリール基は、置換もしくは無置換のアリール基であれば、特に限定されるものではない。置換基としては、例えば、アルキル基を挙げることができる。
【０１２９】
また、（置換基の炭素数を含む）アリール基の合計炭素数は、例えば、６〜１０とすることができる。
【０１３０】
この置換基を有していてもよいアリール基としては、例えば、フェニル基、トリル基（例えば３−メチルフェニル基）、ｐ−（ｎ−ブチル）フェニル基、及び、ナフチル基が挙げられる。これらのアリール基の中では、トリル基（例えば、３−メチルフェニル基）が、インバランスがより改善された画像が得られ易いため好ましい。
【０１３１】
一般式（８）で表される好ましい例として、化合物（６３）〜（６８）を以下に示すが、下記の化合物に限定されるものではない。
【０１３２】
【化２９】
2018089960.tif 000030
【０１３３】
これらの中で、化合物（６４）〜（６６）がシアン染料として好ましい。また、化合物（６５）が、インバランスがより改善された画像が得られるため、特に好ましい。
【０１３４】
次に、一般式（９）で表されるシアン染料について説明する。
【０１３５】
【化３０】
2018089960.tif 000031
［一般式（９）中、Ｒ２８〜Ｒ３２は、それぞれ独立して、アルキル基、または、アリール基を表す。］
【０１３６】
一般式（９）中、Ｒ２８〜Ｒ３２におけるアルキル基としては、特に限定されるものではないが、直鎖状、分岐状、もしくは、環状の炭素数１〜２０の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基が挙げられる。これらのアルキル基の中では、直鎖状又は分岐状の炭素数１〜８のアルキル基（例えば、メチル基、１−エチルペンチル基及び２−エチルヘキシル基）が、インバランスがより改善された画像が得られやすいため好ましい。
【０１３７】
一般式（９）中、Ｒ２８〜Ｒ３２におけるアリール基としては、特に限定されるものではないが、例えば、フェニル基、ナフチル基が挙げられる。特に、フェニル基であることが、インバランスがより改善された画像が得られるため好ましい。
【０１３８】
一般式（９）で表される好ましい例として、化合物（６９）〜（７４）を以下に示すが、下記の化合物に限定されるものではない。
【０１３９】
【化３１】
2018089960.tif 000032
【０１４０】
これらの中で、化合物（６９）、（７０）、（７４）がシアン染料として好ましい。また、化合物（６９）が、インバランスがより改善された画像が得られるため、特に好ましい。
【０１４１】
なお、シアン染料として、これらの一般式（７）〜（９）の化合物の他に、既存のシアン染料を併用することもできる。
【０１４２】
＜マゼンタ染料＞
次に、一般式（１０）で表されるマゼンタ染料について説明する。
【０１４３】
【化３２】
2018089960.tif 000033
［一般式（１０）中、Ｒ３３は、エーテル官能性の酸素原子を含んでいてもよいアルキル基、または、置換基を有していてもよいアリール基を表す。］
【０１４４】
一般式（１０）中、Ｒ３３が示すことのできる、エーテル官能性の酸素原子を含んでいてもよいアルキル基は、特に限定されるものではない。このアルキル基としては、例えば、直鎖状、分岐状、もしくは、環状の、エーテル官能性の酸素原子を含んでいてもよい、炭素数１〜２０の１級〜３級のアルキル基が挙げられる。
【０１４５】
エーテル官能性の酸素原子を含んでいてもよいアルキル基としては、より具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−エチルプロピル基、２−エチルヘキシル基、及び、エトキシエチル基等が挙げられる。これらの中でも、直鎖状又は分岐状の、エーテル官能性の酸素原子を含んでいてもよい炭素数１〜８のアルキル基が、インバランスがより改善された画像が得られ易いため好ましい。この炭素数１〜８のアルキル基としては、例えば、メチル基、２−エチルヘキシル基及びエトキシエチル基を挙げることができる。
【０１４６】
一般式（１０）中、Ｒ３３が示すことのできる、置換基を有していてもよいアリール基は、置換もしくは無置換のアリール基であれば、特に限定されるものではない。置換基としては、例えば、アルキル基、及び、アルコキシ基を挙げることができる。また、（置換基の炭素数を含む）アリール基の合計炭素数は、例えば、６〜１０とすることができる。
【０１４７】
置換基を有していてもよいアリール基としては、例えば、フェニル基、トリル基（２−メチルフェニル基、３−メチルフェニル基、４−メチルフェニル基）、ナフチル基、及び、ｐ−メトキシフェニル基が挙げられる。これらの中でも、フェニル基、トリル基、メトキシフェニル基、及び、ナフチル基が、インバランスがより改善された画像が得られやすいため好ましい。さらに、この中でも、インバランスの観点から、フェニル基及び３−メチルフェニル基がより好ましい。
【０１４８】
一般式（１０）で表される好ましい例として、化合物（７５）〜（８３）を以下に示すが、下記の化合物に限定されるものではない。
【０１４９】
【化３３】
2018089960.tif 000034
【０１５０】
これらの中で、化合物（７５）〜（７９）がマゼンタ染料として好ましい。また、化合物（７５）、（７７）が、インバランスがより改善された画像が得られるため、特に好ましい。
【０１５１】
次に、一般式（１１）で表されるマゼンタ染料について説明する。
【０１５２】
【化３４】
2018089960.tif 000035
［一般式（１１）中、Ｒ３４及びＲ３５は、それぞれ独立して、アルキル基、または、置換基を有していてもよいアリール基を表す。］
【０１５３】
一般式（１１）中、Ｒ３４及びＲ３５が示すことのできるアルキル基は、特に限定されるものではない。このアルキル基としては、例えば、一般式（６）のＲ１９及びＲ２０において上述したものを同様に挙げることができる。また、これらのアルキル基の中では、インバランスがより改善された画像が得られやすいことから、直鎖状の炭素数１〜４のアルキル基（例えば、メチル基及びブチル基）が好ましい。
【０１５４】
一般式（１１）中、Ｒ３４及びＲ３５が示すことのできる、置換基を有していてもよいアリール基は、置換もしくは無置換のアリール基であれば特に限定されるものではない。置換基としては、例えば、アルキル基を挙げることができる。また、（置換基の炭素数を含む）アリール基の合計炭素数は、例えば、６〜１０とすることができる。
【０１５５】
この置換基を有していてもよいアリール基としては、例えば、フェニル基、トリル基（２−メチルフェニル基、３−メチルフェニル基、４−メチルフェニル基）、キシリル基（例えば３，５−ジメチルフェニル基）、ナフチル基、及び、ｐ−（ｎ−ブチル）フェニル基が挙げられる。
【０１５６】
これらのアリール基の中では、フェニル基、トリル基（例えば、４−メチルフェニル基）及びキシリル基（例えば、３，５−ジメチルフェニル基）が、インバランスがより改善された画像が得られやすいため好ましい。
【０１５７】
一般式（１１）で表される好ましい例として、化合物（８４）〜（９２）を以下に示すが、下記の化合物に限定されるものではない。
【０１５８】
【化３５】
2018089960.tif 000036
【０１５９】
これらの中で、化合物（８６）〜（９１）がマゼンタ染料として好ましい。また、化合物（８６）、（９０）、（９１）が、インバランスがより改善された画像が得られるため、特に好ましい。
【０１６０】
次に、一般式（１２）で表されるマゼンタ染料について説明する。
【０１６１】
【化３６】
2018089960.tif 000037
［一般式（１２）中、Ｒ３６〜Ｒ４０は、それぞれ独立して、アルキル基、または、置換基を有していてもよいアリール基を表す。］
【０１６２】
一般式（１２）中、Ｒ３６〜Ｒ４０が示すことのできるアルキル基は、アルキル基であれば特に限定されるものではない。このアルキル基としては、例えば、一般式（６）のＲ１９及びＲ２０において上述したものを同様に挙げることができる。また、これらのアルキル基の中では、インバランスがより改善された画像が得られ易いことから、直鎖状又は分岐状の炭素数１〜４のアルキル基（例えば、メチル基、エチル基、ｎ−ブチル基及びｔ−ブチル基）が好ましい。
【０１６３】
一般式（１２）中、Ｒ３６〜Ｒ４０が示すことのできる、置換基を有していてもよいアリール基は、置換もしくは無置換のアリール基であれば特に限定されるものではない。置換基としては、例えば、アルキル基及びアルコキシ基を挙げることができる。また、（置換基の炭素数を含む）アリール基の合計炭素数は、例えば、６〜１０とすることができる。
【０１６４】
この置換基を有していてもよいアリール基としては、例えば、フェニル基、トリル基（２−メチルフェニル基、３−メチルフェニル基、４−メチルフェニル基）、ナフチル基、及び、ｐ−メトキシフェニル基が挙げられる。
【０１６５】
これらのアリール基の中では、インバランスがより改善された画像が得られやすいことから、フェニル基、トリル基及びメトキシフェニル基が好ましく、トリル基がより好ましい。
【０１６６】
一般式（１２）で表される好ましい例として、化合物（９３）〜（１０１）を以下に示すが、下記の化合物に限定されるものではない。
【０１６７】
【化３７】
2018089960.tif 000038
【０１６８】
これらの中で、化合物（９５）〜（９９）がマゼンタ染料として好ましい。また、化合物（９６）〜（９８）が、インバランスがより改善された画像が得られるため好ましい。
【０１６９】
次に、一般式（１３）で表されるマゼンタ染料について説明する。
【０１７０】
【化３８】
2018089960.tif 000039
【０１７１】
［一般式（１３）中、Ｒ４１〜Ｒ４４は、それぞれ独立して、アルキル基、または、置換基を有していてもよいアリール基を表す。］
一般式（１３）中、Ｒ４１〜Ｒ４４が示すことのできるアルキル基は、特に限定されるものではない。このアルキル基としては、例えば、一般式（６）のＲ１９及びＲ２０において上述したものを同様に挙げることができる。また、これらのアルキル基の中では、インバランスがより改善された画像が得られやすいことから、直鎖状又は分岐状の炭素数１〜４のアルキル基（例えば、メチル基、エチル基、ｎ−プロピル基及びｔ−ブチル基）が好ましい。
【０１７２】
一般式（１３）中、Ｒ４１〜Ｒ４４が示すことのできる、置換基を有していてもよいアリール基は、置換もしくは無置換のアリール基であれば特に限定されるものではない。置換基としては、例えば、アルキル基を挙げることができる。また、（置換基の炭素数を含む）アリール基の合計炭素数は、例えば、６〜１０とすることができる。
【０１７３】
この置換基を有していてもよいアリール基としては、例えば、フェニル基、トリル基（例えば４−メチルフェニル基）、及び、ナフチル基が挙げられる。
【０１７４】
これらのアリール基の中では、フェニル基及びトリル基が、インバランスがより改善された画像が得られやすいため好ましい。
【０１７５】
一般式（１３）で表される好ましい例として、化合物（１０２）〜（１１０）を以下に示すが、下記の化合物に限定されるものではない。
【０１７６】
【化３９】
2018089960.tif 000040
【０１７７】
これらの中で、化合物（１０２）、（１０４）、（１０５）、（１０６）がマゼンタ染料として好ましい。また、化合物（１０４）が、インバランスがより改善された画像が得られるため、特に好ましい。
【０１７８】
次に、一般式（１４）で表されるマゼンタ染料について説明する。
【０１７９】
【化４０】
2018089960.tif 000041
【０１８０】
［一般式（１４）中、Ｒ４５及びＲ４６は、それぞれ独立して、アルキル基を示し、Ｒ４７は、水素原子、アルキル基、または、置換基を有していてもよいアリール基を示し、Ｒ４８は、アルキル基、または、置換基を有していてもよいアリール基を示し、Ｒ４９は、水素原子、アルキル基、置換基を有していてもよいアリール基、または、−Ｎ（−Ｒ５０）Ｒ５１を示す。Ｒ５０及びＲ５１は、それぞれ独立して、水素原子、アルキル基、アリール基、または、アシル基を示すか、あるいは、Ｒ５０とＲ５１とが互いに結合して形成される環状構造を示す。］
【０１８１】
一般式（１４）中、Ｒ４５及びＲ４６が示すことのできるアルキル基は、特に限定されるものではないが、直鎖状、分岐状、もしくは、環状の炭素数１〜２０の１級〜３級のアルキル基が挙げられる。具体的には、メチル基、エチル基、ｎ−プロピル基、ｉｓｏ−プロピル基、ｎ−ブチル基、ｓｅｃ−ブチル基、ｔｅｒｔ−ブチル基、オクチル基、ドデシル基、ノナデシル基、シクロブチル基、シクロペンチル基、シクロヘキシル基、メチルシクロヘキシル基、２−ブチルブチル基、２−エチルプロピル基、２−エチルヘキシル基が挙げられる。特に、２−ブチルブチル基、２−エチルヘキシル基の如き分岐状のアルキル基を用いる場合、インバランスがより改善された画像が得られるため好ましい。
【０１８２】
一般式（１４）中、Ｒ４７が示すことのできるアルキル基は、アルキル基であれば特に限定されるものではない。このアルキル基としては、例えば、一般式（６）のＲ１９及びＲ２０において上述したものを同様に挙げることができる。また、これらのアルキル基の中では、ｔｅｒｔ−ブチル基が、インバランスがより改善された画像が得られやすいため好ましい。
【０１８３】
一般式（１４）中、Ｒ４７が示すことのできる、置換基を有していてもよいアリール基は、置換もしくは無置換のアリール基であれば特に限定されるものではない。置換基としては、例えば、メチル基及びエチル基等のアルキル基、並びに、メトキシ基等のアルコキシ基が挙げられる。また、（置換基の炭素数を含む）アリール基の合計炭素数は、例えば、６〜１２とすることができる。
【０１８４】
この置換基を有していてもよいアリール基としては、例えば、フェニル基、トリル基（２−メチルフェニル基、３−メチルフェニル基及び４−メチルフェニル基）、キシリル基（例えば２，６−ジメチルフェニル基）２，６−ジエチルフェニル基、３−メトキシフェニル基、２，６−ジメトキシフェニル基、２，４，６−トリメチルフェニル基、並びに、２，４，６−トリエチルフェニル基が挙げられる。また、これらのアリール基の中では、フェニル基が、インバランスがより改善された画像が得られやすいため好ましい。
【０１８５】
Ｒ４７は、フェニル基又はｔｅｒｔ−ブチル基であることが好ましく、特にｔｅｒｔ−ブチル基の場合、インバランスがより改善された画像が得られるため好ましい。
【０１８６】
一般式（１４）中、Ｒ４８が示すことのできるアルキル基は、アルキル基であれば特に限定されるものではない。このアルキル基としては、例えば、直鎖状もしくは分岐状の、炭素数１〜８（例えば主鎖の炭素数が１〜４）の１級〜３級のアルキル基が挙げられる。例えば、メチル基、エチル基、ｎ−プロピル基、ｉｓｏ−プロピル基、ｎ−ブチル基、ｉｓｏ−ブチル基、２−メチルブチル基、２，３，３−トリメチルブチル基が挙げられる。特にメチル基の場合、インバランスがより改善された画像が得られるため好ましい。
【０１８７】
一般式（１４）中、Ｒ４８が示すことのできる、置換基を有していてもよいアリール基は、特に限定されるものではない。置換基としては、例えば、メチル基等のアルキル基、及び、メトキシ基等のアルコキシ基が挙げられる。また、（置換基の炭素数を含む）アリール基の合計炭素数は、例えば、６〜８とすることができる。置換基を有するアリール基における置換基としては、例えばメチル基、メトキシ基が挙げられる。この置換基を有していてもよいアリール基としては、例えば、フェニル基、トリル基（２−メチルフェニル基、３−メチルフェニル基及び４−メチルフェニル基）、４−メトキシフェニル基、キシリル基（例えば３，５−ジメチルフェニル基）が挙げられる。また、これらのアリール基の中では、フェニル基が、インバランスが改善された画像が得られやすいため好ましい。
【０１８８】
一般式（１４）中、Ｒ４９が示すことのできるアルキル基は、特に限定されるものではないが、直鎖状もしくは分岐状の、炭素数１〜８の１級〜３級のアルキル基が挙げられる。例えばメチル基、エチル基、ｎ−プロピル基、ｉｓｏ−プロピル基、ｎ−ブチル基、ｉｓｏ−ブチル基が挙げられる。特にメチル基の場合、インバランスがより改善された画像が得られるため好ましい。
【０１８９】
一般式（１４）中、Ｒ４９が示すことのできる、置換基を有していてもよいアリール基は、置換もしくは無置換のアリール基であれば特に限定されるものではない。置換基としては、例えば、メチル基等のアルキル基、及び、メトキシ基等のアルコキシ基等を挙げることができる。また、（置換基の炭素数を含む）アリール基の合計炭素数は、例えば、６〜１２とすることができる。この置換基を有していてもよいアリール基としては、例えば、フェニル基、及び、ナフチル基が挙げられる。また、これらのアリール基の中では、フェニル基が、インバランスが改善された画像が得られやすいため好ましい。
【０１９０】
一般式（１４）中、Ｒ４９が−Ｎ（−Ｒ５０）Ｒ５１である場合、Ｒ５０及びＲ５１が示すことのできるアルキル基は、アルキル基であれば特に限定されるものではない。このアルキル基としては、例えば、一般式（６）のＲ１９及びＲ２０において上述したものを同様に挙げることができる。また、これらのアルキル基の中では、メチル基が、インバランスがより改善された画像が得られやすいため好ましい。
【０１９１】
一般式（１４）中、Ｒ４９が−Ｎ（−Ｒ５０）Ｒ５１である場合、Ｒ５０及びＲ５１が示すことのできるアリール基は、アリール基であれば特に限定されるものではない。このアリール基としては、例えば、フェニル基及びナフチル基を挙げることができる。また、これらのアリール基の中では、フェニル基が、インバランスが改善された画像が得られやすいため好ましい。
【０１９２】
一般式（１４）中、Ｒ４９が−Ｎ（−Ｒ５０）Ｒ５１である場合、Ｒ５０及びＲ５１が示すことのできるアシル基は、アシル基であれば特に限定されるものではない。このアシル基としては、例えば、炭素数２〜３０の無置換のアルキルカルボニル基、炭素数７〜３０の置換もしくは無置換のアリールカルボニル基、−Ｃ（＝Ｏ）−Ａ（Ａはヘテロ環を表す）が挙げられる。より具体的には、アセチル基、プロピオニル基、ピバロイル基、ベンゾイル基、及び、ナフトイル基等が挙げられる。また、−Ｃ（＝Ｏ）−Ａとしては、２−ピリジルカルボニル基、及び、２−フリルカルボニル基等が挙げられる。なお、上記アリールカルボニル基の置換基としては、例えば、炭素数１〜４のアルキル基、炭素数１〜４のアルコキシ基等が挙げられる。
【０１９３】
一般式（１４）中、Ｒ４９が−Ｎ（−Ｒ５０）Ｒ５１である場合、Ｒ５０及びＲ５１が互いに結合して形成する環状構造としては、特に限定されるものではないが、ピペリジン環、ピペラジン環、モルホリン環が挙げられる。
【０１９４】
特に、Ｒ５０、Ｒ５１のどちらか少なくとも一方がアルキル基である場合、インバランスがより優れるため好ましい。さらにメチル基の場合が、インバランスがさらに改善された画像が得られるためより好ましい。
【０１９５】
一般式（１４）で表される化合物の好ましい例として、化合物（１１１）〜（１２１）を以下に示すが、下記の化合物に限定されるものではない。
【０１９６】
【化４１】
2018089960.tif 000042
【０１９７】
これらの中で、化合物（１１１）〜（１１３）、（１１７）が、インバランスがより改善された画像が得られるため好ましい。
【０１９８】
なお、マゼンタ染料として、これらの一般式（１０）〜（１４）の化合物の他に、既存のマゼンタ染料を併用することもできる。
【０１９９】
＜感熱転写受像シート（受像シート）＞
受像シートに関して詳細に説明する。受像シートは、基材上に少なくとも１層の受像層を有し、受像層には、上述した一般式（１）または一般式（２）で示される化合物が少なくとも１種以上含まれる。
【０２００】
基材と受像層との間には少なくとも１層の中間層（例えば、断熱層（多孔質層））を有することが好ましい。また、断熱層以外の中間層として、例えば、光沢制御層、白地調整層、隠蔽性能向上層、耐溶剤性向上層、帯電調節層、接着層、プライマー層などが含まれていてもよい。さらに、受像シートの基材の裏面側にはカール調整層、筆記層、帯電調整層が形成されていてもよい。
【０２０１】
なお、各層は、塗布や張り合わせで形成することが可能である。塗布方法としては、特に限定されるものではないが、ロールコート、バーコート、グラビアコート、マイクログラビアリバースコート、カーテンコート、スライドホッパーコート、ダイコート等の一般的に公知の製造方法を用いることができる。
【０２０２】
＜受像シート用基材＞
受像シートに用いることができる基材としては、特に限定されるものではないが、例えば、ポリエチレンテレフタレート等のポリエステルフィルム、ポリプロピレン、ポリエチレン等のポリオレフィンフィルム、ポリ塩化ビニル、ポリカーボネート、ポリスチレン、ポリアミド等の合成樹脂フィルム、上質紙、コート紙、写真ベース紙であるレジンコート紙（広葉樹パルプ主体の中紙をポリエチレン、ポリプロピレン等で両面ラミネートしたもの）、アート紙、キャストコート紙、樹脂ラミネート紙、合成紙（商品名：ユポコーポレーション  ユポＦＰＧ）などを単独で、または組み合わせた複合体として用いることができる。
【０２０３】
基材の厚みは、プリンタの搬送性、印画物の腰を考慮し５０〜３００μｍが好ましい。
【０２０４】
＜断熱層＞
受像シートの基材上には、印画時の熱効率を高め印画濃度を向上させるための断熱層を設けることが好ましい。
【０２０５】
断熱層としては特に限定されるものではないが、ポリエチレンテレフタレート等のポリエステルフィルム（商品名：東洋紡クリスパーなど）、ポリプロピレン、ポリエチレン等のポリオレフィンフィルムと炭酸カルシウム、酸化チタン等の填料を主成分とした、ボイド（空隙）を有する二軸延伸フィルム（商品名：東洋紡トヨパール、ユポコーポレーション  ユポＦＰＧなど）等を用いることができる。
【０２０６】
また、基材上にボイド構造を有する断熱層を形成してもよい。その形成方法は特に限定されるものではないが、例えば、マイクロカプセル等の中空粒子（発泡溶剤を含有しても良い）をバインダーとともに塗工、熱乾燥することで、ボイド層を形成する。
【０２０７】
＜断熱層以外の中間層＞
受像シートは、上述した通り、断熱層以外の中間層として、例えば、光沢制御層、白地調整層、隠蔽性能向上層、耐溶剤性向上層、帯電調節層、接着層、プライマー層などが含まれていてもよい。中間層は、多層となっていてもよい。
【０２０８】
＜受像層＞
本発明の受像シートの受像層は、インクシートから昇華あるいは熱拡散によって移行する染料を受容し、画像を形成する機能をもつ。
【０２０９】
受像層は、一般式（１）または一般式（２）で示される化合物を少なくとも１種以上含む。例えば、後述する必要な離型剤を添加した樹脂とともに、一般式（１）または一般式（２）で示される化合物を樹脂とともに有機溶剤に溶解、あるいは分散させた後、塗工、乾燥させて形成することができる。
【０２１０】
また、水系ラテックス、水系エマルジョン樹脂、水可溶性の樹脂を用いる場合は、一般式（１）または一般式（２）で示される化合物を樹脂とともに水に分散形成させた後、塗工、乾燥させて形成することができる。
【０２１１】
一般式（１）または一般式（２）で示される化合物を用いて受像層を形成するためには、その特徴に応じて使用する溶剤を適宜選択することができる。溶剤としては、特に限定されるものではないが、水、有機溶剤、またはこれらの混合系を用いることができる。
【０２１２】
例えば、受像シートに使用する一般式（１）または一般式（２）で示される化合物を、水系の受像層を形成するための塗工液に分散または溶解して用いる場合には、プロトン性及び非プロトン性極性有機溶剤を併用することが好ましい。例えば、一般式（１）または一般式（２）で示される化合物のＲ１〜Ｒ８またはＲ’１〜Ｒ’８の少なくとも一部が、メトキシエチル基、エトキシエチル基等のアルコキシ基の場合、比較的溶解性が高くなるため好ましい。
【０２１３】
一方、受像層を形成するための塗工液を有機溶剤に溶解して用いる場合や、分散状態で用いる場合には、いずれの化合物も使用可能である。
【０２１４】
有機溶剤としては、特に限定されるものではないが、例えば、メタノール、エタノール、イソプロパノール、ジアセトンアルコール等のアルコール類、アセトン、メチルエチルケトン、シクロヘキサノン等のケトン類、Ｎ，Ｎ−ジメチルホルムアミド、Ｎ，Ｎ−ジメチルアセトアミド等のアミド類、ジメチルスルホキシド等のスルホキシド類、テトラヒドロフラン、ジオキサン、エチレングリコールモノメチルエーテル等のエーテル類、酢酸メチル、酢酸エチル、酢酸ブチル等のエステル類、クロロホルム、塩化メチレン、ジクロルエチレン等の脂肪族ハロゲン化炭化水素類、ベンゼン、トルエン、キシレン、モノクロルベンゼン、ジクロルベンゼン等の芳香族炭化水素類、或いは、ｎ−ヘキサン、シクロヘキサノン、リグロイン等の脂肪族炭化水素類、テトラフルオロプロパノールやペンタフルオロプロパノール等のフッ素系溶剤等が挙げられる。
【０２１５】
受像シートの受像層に使用する一般式（１）、一般式（２）の化合物の含有量は、０．１〜５００ｍｍｏｌ／ｍ２が好ましく、より好ましくは、０．２〜１００ｍｍｏｌ／ｍ２、更に好ましくは０．４〜５０ｍｍｏｌ／ｍ２である。上記範囲であることが、インバランスがより改善された画像が得られるためにより好ましい。
【０２１６】
受像層に用いることができるバインダー樹脂としては、特に限定されるものではないが、例えば、ポリ塩化ビニル、ポリ塩化ビニリデン等のハロゲン化ポリマー、ポリ酢酸ビニル、エチレン酢酸ビニル共重合体、塩化ビニル酢酸ビニル共重合体等のビニル系樹脂、ポリアクリル酸エステル等のアクリル樹脂、ポリプロピレン等のポリオレフィン系樹脂、ポリビニルホルマール、ポリビニルブチラール、ポリビニルアセタール等のアセタール樹脂、飽和・不飽和の各種ポリエステル樹脂、ポリカーボネート系樹脂、セルロースアセテート等のセルロース系樹脂、ポリスチレン、アクリルースチレン共重合体、アクリロニトリルースチレン共重合体等のスチレン系樹脂、尿素樹脂、メラミン樹脂、ポリアミド樹脂等が挙げられる。これらの樹脂は、相溶する範囲内で任意に混合してもよい。
【０２１７】
また水溶性樹脂や水系分散樹脂をバインダー樹脂として用いることが可能である。水溶性樹脂としては、特に限定されるものではないが、例えば、ポリビニルアルコール、ポリビニルピロリドン、ゼラチン等があげられる。水系分散樹脂としては、塩ビ系樹脂、アクリル系樹脂、ウレタン樹脂等のエマルジョン、ディスパージョンがあげられる。
【０２１８】
受像層の樹脂は、画像形成の熱転写の際に、インクシートのバインダー樹脂と熱融着を起こす場合もあるので、離型材を添加しても構わない。離型性を得る為には、シリコーン化合物、シリコーンオイル、シリコーン樹脂、リン酸エステル、界面活性剤、フッ素系化合物、フッ素系樹脂等の離型剤を受像層に添加することが好ましく、特に変性シリコーンオイルを添加し、硬化させたものが好ましい。
【０２１９】
離型剤としては１種若しくは２種以上のものが使用される。また、離型剤は乾燥塗工量としては０．００１〜１ｇ／ｍ２程度である。この添加量の範囲を満たさない場合は、インクシートと受像シートの受像層との融着あるいは印画感度の低下が生じることがある。離型剤を受像層に添加することによって、表面に離型剤がブリードして離型層が形成される。また、これらの離型剤は受像層の樹脂中に添加せず、受像層上に別途塗工しても構わない。
【０２２０】
さらに、分散、レベリングのために界面活性剤、消泡剤等と併用することも可能である。また、受像層の白色度を向上させる目的で、白色顔料や蛍光増白剤等を添加することも可能である。
【０２２１】
受像層は任意の厚さでよいが、乾燥状態で０．２〜２０ｇ／ｍ２の厚さであることが好ましい。
【０２２２】
＜感熱転写記録用インクシート（インクシート）＞
次に、インクシートについて詳細に説明する。インクシートは、基材上に、一般式（３）〜（６）で表される化合物群から選ばれる１種以上のイエロー染料を含有する色材層と、マゼンタ染料を含有する色材層と、一般式（７）〜（９）で表される化合物群から選ばれる１種以上のシアン染料を含有する色材層を有する。
【０２２３】
インクシートを作製する方法は特に限定されるものではないが、例えば、以下のようにして得られる。
【０２２４】
一般式（３）〜（１４）で表される、目的の色材層に対応する色の色材、結着樹脂、必要に応じて界面活性剤、ワックスを媒体中に撹拌しながら徐々に加え、十分に媒体になじませる。さらに、分散機により機械的剪断力を加えることで上記組成物を安定して溶解または微粒子状に分散させ、インクを調製する。該インクを基材であるベースフィルムに塗布、乾燥することにより色材層を作製することができる。
【０２２５】
上記分散工程で用いる分散機としては、特に限定されるものではないが、回転せん断型ホモジナイザー、ボールミル、サンドミル、アトライターの如きメディア式分散機、高圧対向衝突式の分散機を用いることができる。
【０２２６】
さらに必要に応じて、後述の転写保護層、耐熱滑性層等を形成してもよい。
【０２２７】
＜色材層＞
色材層は、イエロー染料として、一般式（３）〜（６）で表される化合物群から選ばれる１種以上の化合物を含み、シアン染料として、一般式（７）〜（９）で表される化合物群から選ばれる１種以上の化合物を含む。また、マゼンタ染料としては、一般式（１０）〜（１４）で表される化合物群から選ばれる１種以上の化合物を含むことが好ましい。
【０２２８】
また、熱転写用として公知で用いられている染料であって、熱で移行するものであれば特に限定されず、色相、印画感度、耐光性、保存性、バインダーへの溶解性等を考慮して上記化合物と併用することができる。
【０２２９】
本発明で用いる各色の色材の使用量は、結着樹脂１００質量部に対して１〜２００質量部であることが好ましく、着色剤の分散の観点からは、５０〜１８０質量部であることがより好ましい。上記使用量は、染料を２種以上混合して用いる場合、各染料色素の合計量の質量部に相当する。
【０２３０】
＜結着樹脂＞
色材層に用いることができる結着樹脂としては、様々な樹脂が挙げられる。その中でもセルロース樹脂、ポリアクリル酸樹脂、澱粉樹脂、およびエポキシ樹脂の如き水溶性樹脂、並びにポリアクリレート樹脂、ポリメタクリレート樹脂、ポリスチレン樹脂、ポリカーボネート樹脂、ポリエーテルスルホン樹脂、ポリビニルブチラール樹脂、エチルセルロース樹脂、アセチルセルロース樹脂、ポリエステル樹脂、ＡＳ樹脂、およびフェノキシ樹脂の如き有機溶剤可溶性の樹脂であることが好ましい。これらの樹脂は単独で用いても良いし、必要に応じて２種類以上組み合わせて用いてもよい。
【０２３１】
＜界面活性剤＞
色材層には、サーマルヘッド加熱時（印画時）に十分な滑性を持たせるために、界面活性剤を添加してもよい。添加することができる界面活性剤としては、カチオン界面活性剤、アニオン界面活性剤、ノニオン界面活性剤が挙げられる。
【０２３２】
カチオン界面活性剤としては、ドデシルアンモニウムクロライド、ドデシルアンモニウムブロマイド、ドデシルトリメチルアンモニウムブロマイド、ドデシルピリジニウムクロライド、ドデシルピリジニウムブロマイド、ヘキサデシルトリメチルアンモニウムブロマイドが挙げられる。
【０２３３】
アニオン界面活性剤としては、ステアリン酸ナトリウム、ドデカン酸ナトリウムの如き脂肪酸石鹸、ドデシル硫酸ナトリウム、ドデシルベンゼン硫酸ナトリウム、ラウリル硫酸ナトリウムが挙げられる。
【０２３４】
ノニオン界面活性剤としては、ドデシルポリオキシエチレンエーテル、ヘキサデシルポリオキシエチレンエーテル、ノニルフェニルポリオキシエチレンエーテル、ラウリルポリオキシエチレンエーテル、ソルビタンモノオレアートポリオキシエチレンエーテル、モノデカノイルショ糖が挙げられる。
【０２３５】
＜ワックス＞
色材層には、サーマルヘッド非加熱時に十分な滑性を持たせるためにワックスを添加してもよい。添加することができるワックスとしては、ポリエチレンワックス、パラフィンワックス、脂肪酸エステルワックスが挙げられるが、これらに限定されるものではない。
【０２３６】
色材層には、上記添加物以外にも、必要に応じて紫外線吸収剤、防腐剤、酸化防止剤、帯電防止剤、粘度調整剤を添加しても良い。
【０２３７】
＜色材層の形成時に用いる媒体＞
色材層の形成時に用いることができる媒体としては特に限定されるものではないが、例えば水または有機溶剤が挙げられる。有機溶剤としては、メタノール、エタノール、イソプロパノールおよびイソブタノールの如きアルコール類、メチルセロソルブおよびエチルセロソルブの如きセロソルブ類、トルエン、キシレンおよびクロロベンゼンの如き芳香族炭化水素類、酢酸エチルおよび酢酸ブチルの如きエステル類、アセトン、メチルエチルケトン、メチルイソブチルケトンおよびシクロヘキサノンの如きケトン類、塩化メチレン、クロロホルムおよびトリクロロエチレンの如きハロゲン化炭化水素類、テトラヒドロフランおよびジオキサンの如きエーテル類、Ｎ，Ｎ−ジメチルホルムアミド、Ｎ−メチルピロリドンが好ましく用いられる。上記有機溶剤は単独で用いても良いし、必要に応じて２種類以上組み合わせて用いてもよい。
【０２３８】
＜基材、その他の層＞
インクシートを構成する基材は、前述の色材層を担持するものであり、公知の基材を用いることができる。従来公知のある程度の耐熱性と強度を有するものであれば特に限定されるわけではないが、例えばポリエチレンテレフタレートフィルム、ポリエチレンナフタレートフィルム、ポリカーボネートフィルム、ポリイミドフィルム、ポリアミドフィルム、アラミドフィルム、ポリスチレンフィルム、１，４−ポリシクロヘキシレンジメチレンテレフタレートフィルム、ポリサルホンフィルム、ポリプロピレンフィルム、ポリフェニレンサルフィドフィルム、ポリビニルアルコールフィルム、セロハン、セルロース誘導体、ポリエチレンフィルム、ポリ塩化ビニルフィルム、ナイロンフィルム、コンデンサー紙、パラフィン紙が挙げられる。特にポリエチレンテレフタレートフィルムが、機械的強度、耐溶剤性、および経済性の点で好ましい。
【０２３９】
基材の厚さは０．５〜５０μｍであり、転写性の点から、さらに好ましくは３〜１０μｍである。
【０２４０】
基材上に色材層を形成するために染料を含むインキを塗布する場合、塗工液の濡れ性、接着性等が不足しやすい。そのため基材は、必要に応じてその一方の面、または両面に接着処理を行うことが好ましい。
【０２４１】
接着処理としては特に限定されるわけではないが、例えばオゾン処理、コロナ放電処理、紫外線処理、プラズマ処理、低温プラズマ処理、プライマー処理、化学薬品処理を挙げることができる。また、これらの処理を２つ以上組み合わせて行っても良い。
【０２４２】
上記基材と色材層の接着性を高めるために、基材上に接着層を塗工しても良い。
【０２４３】
接着層としては、特に限定されるものではないが、例えばポリエステル樹脂、ポリスチレン樹脂、ポリアクリル酸エステル樹脂、ポリアミド樹脂、ポリエーテル樹脂、ポリ酢酸ビニル樹脂、ポリエチレン樹脂、ポリプロピレン樹脂、ポリ塩化ビニル樹脂、ポリビニルアルコール樹脂、ポリビニルブチラール樹脂の如き有機材料、シリカ、アルミナ、炭酸マグネシウム、酸化マグネシウム、酸化チタンの如き無機微粒子が挙げられる。
【０２４４】
上記基材へ塗布する方法としては特に限定されるものではないが、バーコーター、グラビアコーター、リバースロールコーター、ロッドコーター、エアドクタコーターを用いた方法が挙げられる。特にグラビアコーターが好ましい。
【０２４５】
また、塗布後の乾燥工程においては特に限定されるものではないが、５０〜１２０℃の温度で１秒〜５分程度乾燥させると良い。乾燥が不十分であると、地汚れが起きたり、巻き取りの際に染料インクが裏移りしたり、更にその裏移りした染料インキが巻き返した際に異なる色相の染料層に再転移したりしてしまう。
【０２４６】
上記インク組成物の塗布量としては、色材層の乾燥後の厚さが０．１〜５μｍの範囲となるように塗布することが、転写性の点で好ましい。
【０２４７】
インクシートは、少なくともイエロー、マゼンタ、シアン各色の色材層を有するが、さらに従来公知のブラック染料層を追加しても良い。また、インクシートは、特に限定されるわけではないが、基材上に面順次に各色材層が構成される。例えば基材シート上に、基材シートの移動方向に沿ってイエロー染料層、マゼンタ染料層、シアン染料層を並べて作成し、それを繰り返して形成される。このインクシートを用いた場合には、先ずイエロー画像が形成され、次いでマゼンタ画像、更にシアン画像という順序で一連の画像形成が行われ、１つのフルカラーの画像が形成される。そして、この一連の画像形成が繰り返されることになる。さらに複数の色材層に加え、熱溶融性ブラック層を追加しても良い。
【０２４８】
インクシートは、画像形成後に画像面を保護する転写保護層を上述の色材層と面順次に形成していてもよい。
【０２４９】
また、インクシートにおいては、耐熱性やサーマルヘッドの走行性を向上させる目的で、基材の色材層がある面と反対側の面に耐熱滑性層を設けることが好ましい。耐熱滑性層は、耐熱樹脂からなる。耐熱樹脂としては特に限定されるものではないが、例えば、ポリビニルブチラール樹脂、ポリビニルアセタール樹脂、ポリエステル樹脂、ポリエーテル樹脂、ポリブタジエン樹脂、塩化ビニル−酢酸ビニル共重合体樹脂、スチレン−ブタジエン共重合体樹脂、ポリウレタンアクリレート、ポリエステルアクリレート、ポリイミド樹脂、ポリカーボネート樹脂が挙げられる。
【０２５０】
耐熱滑性層には、更に架橋剤、離型剤、潤滑剤、滑り性付与剤を添加しても良い。該潤滑剤としては、アミノ変性シリコーン化合物、カルボキシ変性シリコーン化合物が挙げられる。また滑り性付与剤としては、耐熱性微粒子であるシリカの如き微粒子が挙げられる。
【０２５１】
耐熱滑性層は、上述の樹脂、添加剤を溶剤に加え溶解または分散させて、耐熱滑性層塗布液を作り、基材に塗布することで形成される。耐熱滑性層塗布液を塗布する方法としては特に限定されるものではないが、バーコーター、グラビアコーター、リバースロールコーター、ロッドコーター、エアドクタコーターを用いた方法が挙げられる。特にグラビアコーターが好ましい。耐熱滑性層塗布液の塗布量としては、乾燥後の厚さが０．１〜５μｍの範囲となるように塗布することが、転写性の点で好ましい。
【０２５２】
＜画像形成＞
本発明の感熱転写記録用シートセットは、インクシートと受像シートとを重ね合わせて、加熱手段を用いてインクシートを加熱することにより、インクシートの色材を受像シートに転写させて、画像形成を行う画像形成方法／画像形成装置に適用される。
【０２５３】
インクシートの加熱手段としては、特に限定されるものではないが、サーマルヘッドを用いた常法のみならず、赤外線またはレーザー光も利用することができる。また、基材のベースフィルムそのものに電気を流すことによって発熱する通電発熱フィルムを用いて、通電型染料転写シートとして用いることもできる。
【実施例】
【０２５４】
以下、実施例及び比較例を挙げて、本発明を更に詳細に説明するが、本発明はこれらの実施例に限定されるものではない。なお、文中「部」とあるのは特に断りのない限り質量基準である。
【０２５５】
ＣＳＦとあるのはＣａｎａｄｉａｎ  Ｓｔａｎｄａｒａｄ  Ｆｒｅｅｎｅｓｓである。画像サンプルの測色は、反射濃度計ＳｐｅｃｔｒｏＬｉｎｏ（Ｇｒｅｔａｇ  Ｍａｃｂｅｔｈ社製）を用いて行った。
【０２５６】
［一般式（１）または（２）で表される構造を有する化合物の製造］
本発明の一般式（１）または（２）で表わされる構造を有する化合物は、公知の方法によって合成することが可能である。
【０２５７】
［受像シートの作製］
［支持体（１）〜（２）の作製］
＜レジンコート紙の作製＞
まず、下記組成の紙料を調製した。
・パルプスラリー                １００部
濾水度４５０ｍｌ  ＣＳＦの広葉樹晒しクラフトパルプ（ＬＢＫＰ）  ８０部
濾水度４８０ｍｌ  ＣＳＦの針葉樹晒しクラフトパルプ（ＮＢＫＰ）  ２０部
・カチオン化澱粉                ０．６０部
・重質炭酸カルシウム            １０．０部
・軽質炭酸カルシウム            １５．０部
・アルキルケテンダイマー        ０．１０部
・カチオン性ポリアクリルアミド  ０．０３部
【０２５８】
次に、調製した紙料を長網抄紙機で抄造し３段のウエットプレスを行った後、多筒式ドライヤーで乾燥した。この後、サイズプレス装置で、固形分が１．０ｇ／ｍ２となるように酸化澱粉水溶液を含浸させ、乾燥させた。この後、マシンカレンダー仕上げをして、坪量１４０ｇ／ｍ２の基紙Ａを得た。基紙Ａ上に、低密度ポリエチレン（７０部）と、高密度ポリエチレン（２０部）と、酸化チタン（１０部）からなる樹脂組成物を１５ｇ／ｍ２ダイ塗工した。更に、裏面に高密度ポリエチレン（５０部）と低密度ポリエチレン（５０部）からなる樹脂組成物を１５ｇ／ｍ２ダイ塗工することにより、樹脂被覆した基材（レジンコート紙）１７０ｇ／ｍ２を得た。
【０２５９】
＜支持体（１）の作製＞
上記作製した基材の表面側にコロナ放電処理を施し、断熱層として多孔質ポリエステルフィルム（商品名  クリスパーＲ  ＃２３１１  ３８μｍ  東洋紡製）をウレタン系接着剤（商品名  タケラック／タケネート  Ａ−９６９Ｖ／Ａ−５  三井化学製）２ｇ／ｍ２を用いて貼合し、支持体（１）を得た。
【０２６０】
＜支持体（２）の作製＞
上記作製した基材の表面側に、下記組成の断熱層形成用塗布液を乾燥後の塗布量が１０ｇ／ｍ２になるように塗工乾燥することで断熱層を形成し、支持体（２）を得た。
・ポリメタクリル酸メチル中空粒子                                ２０部
（商品名  マイクロスフィアＭ２０１  平均粒子径３．５μｍ  松本油脂製薬製）
・アクリル系ラテックス（商品名  ＬＸ４０７  日本ゼオン製）      ２０部
・ＩＰＡと水の混合溶剤（質量比：ＩＰＡ／水＝３／７）            ６０部
［受像シート（Ｓ１）の作製］
＜受像層形成用塗布液（１）＞
・塩化ビニル−酢酸ビニル共重合体                                １００部
（商品名  ソルバインＣ、塩ビ／酢ビ＝８７／１３  日信化学工業製）
・化合物（１）                                                  １．０部
・トルエン／メチルエチルケトン＝１／１                          ５００部
・アミノ変性シリコーンオイル                                    ０．２部
（商品名  Ｘ２２−９４０９  信越化学工業製）
・エポキシ変性シリコーンオイル                                  ０．２部
（商品名  Ｘ２２−２０００  信越化学工業製）
これらを混合して受像層形成用塗布液（１）を調製した。
【０２６１】
上記支持体（１）の断熱層上面に、グラビアコーティング法により、上記受像層形成用塗布液（１）を乾燥後の塗布量が４．０ｇ／ｍ２になるように塗布、乾燥することで受像層を形成し、受像シート（Ｓ１）を得た。
【０２６２】
［受像シート（Ｓ２）の作製］
＜受像層形成用塗布液（２）＞
・塩ビ・アクリル酸エステル共重合体                            １８５部
（商品名  ビニブラン６９０  固形分５４％  塩ビ／アクリル酸＝８０／２０  日信化学工業製）
・化合物（１５）                                              ０．６部
・エポキシ変性シリコーンオイル                              ０．４０部
（商品名  Ｘ２２−２０００  信越化学工業製）
・純水                                                        ３００部
・ＴＨＦ                                                    ３０．０部
これらを混合分散して受像層形成用塗布液（２）を調製した。
【０２６３】
上記支持体（２）の断熱層上面に、キスコーティング法により、上記受像層形成用塗布液（２）を乾燥後の塗布量が４．０ｇ／ｍ２になるように塗布、乾燥することで受像層を形成し、受像シート（Ｓ２）を得た。
【０２６４】
［受像シート（Ｓ３）、（Ｓ５）、（Ｓ７）、（Ｓ９）、（Ｓ１１）、（Ｓ１３）の作製］
受像シート（Ｓ１）の作製において、化合物（１）を化合物（１１）、（２３）、（１８）、（１２２）、（１２４）、（１２７）に変更し、配合量を表１の割合にする以外は同様にして、受像シート（Ｓ３）、（Ｓ５）、（Ｓ７）、（Ｓ９）、（Ｓ１１）、（Ｓ１３）を作製した。
【０２６５】
［受像シート（Ｓ４）、（Ｓ６）、（Ｓ８）、（Ｓ１０）、（Ｓ１２）、（Ｓ１４）の作製］
受像シート（Ｓ２）の作製において、化合物（１５）を化合物（２２）、（２５）、（２）、（１２３）、（１２５）、（１３１）に変更し、配合量を表１の割合にする以外は同様にして、受像シート（Ｓ４）、（Ｓ６）、（Ｓ８）、（Ｓ１０）、（Ｓ１２）、（Ｓ１４）を作製した。
【０２６６】
［比較化合物］
比較化合物としては、以下の化合物を使用した。
【０２６７】
【化４２】
2018089960.tif 000043
【０２６８】
［比較用受像シート（Ｓ１５）、（Ｓ１６）の作製］
受像シート（Ｓ１）の作製において、化合物（１）を比較化合物（１）、（２）に変更し、配合量を表１の割合にする以外は同様にして、比較用受像シート（Ｓ１５）、（Ｓ１６）を作製した。
【０２６９】
【表１】
2018089960.tif 000044
【０２７０】
［インクシートの作製］
［インクの作製］
＜イエローインク作製例１＞
メチルエチルケトン４５部／トルエン４５部の混合溶液にポリビニルブチラール樹脂（ＫＳ−３；積水化学（株）製）５部を少しずつ添加して溶解させた。ここに、イエロー染料として化合物（３２）１部、化合物（３８）２部、化合物（５５）１部を添加して完全に溶解させることで、インクシート作製用のイエローインク（Ｙ１）を得た。
【０２７１】
＜イエローインク作製例２、３＞
作製例１において、イエロー染料を表２で示すイエロー染料、配合比に変更した以外は、イエローインク作製例１と同様にして、イエローインク（Ｙ２）、（Ｙ３）を得た。複数の色材を配合して用いる場合は、色材の総量が５部となるように調整した。
【０２７２】
【表２】
2018089960.tif 000045
【０２７３】
＜シアンインク作製例１〜３＞
表３に記載のシアン染料、配合比とする以外は、イエローインク作製例１と同様にして、シアンインク（Ｃ１）〜（Ｃ３）を得た。なお、色材の総量が５部となるように調整した。
【０２７４】
【表３】
2018089960.tif 000046
【０２７５】
＜マゼンタインク作製例１〜３＞
表４に記載のマゼンタ染料、配合比とする以外は、イエローインク作製例１と同様にして、マゼンタインク（Ｍ１）〜（Ｍ３）を得た。なお、色材の総量が５部となるように調整した。
【０２７６】
【表４】
2018089960.tif 000047
【０２７７】
＜インクシート（Ｉｎｋ１）の作製＞
基材として、厚さ４．５μｍのポリエチレンテレフタレートフィルム（ルミラー；東レ（株）製）を用い、該基材上に、乾燥後の厚みが１μｍになるようにインクシート作製用の上記イエローインク（Ｙ１）を塗布し、乾燥することによって、イエロー染料層を形成した。
【０２７８】
次いで、イエローインク（Ｙ１）を用いる代わりに、マゼンタインク（Ｍ１）を用いる以外はイエロー染料層の形成と同様にして、イエロー染料層の隣の領域に、マゼンタ染料層を形成した。同様にして、マゼンタ染料層の隣の領域に、シアンインク（Ｃ１）を用いて、シアン染料層を形成した。こうして、色材層である、イエロー染料層、マゼンタ染料層、シアン染料層を有するインクシート（Ｉｎｋ１）を作製した。
【０２７９】
＜インクシート（Ｉｎｋ２）〜（Ｉｎｋ１１）の作製＞
インクシート（Ｉｎｋ１）の作製において、使用する各色インクを表５に記載のように変更する以外は同様にして、イエロー染料層、マゼンタ染料層、シアン染料層を有するインクシート（Ｉｎｋ２）〜（Ｉｎｋ１１）を作製した。
【０２８０】
＜実施例１＞
作製した受像シート（Ｓ１）とインクシート（Ｉｎｋ１）を用いて、キヤノン製Ｓｅｌｐｈｙの改造機で画像サンプル（１）を作製した。尚、イエロー、マゼンタ、シアンそれぞれについて、印画物の光学濃度（Ｏ．Ｄ．）が１．０になるよう出力を調整した上で、該出力でイエロー、マゼンタ、シアンの順番に重ねてブラック画像を印画し、サンプル１として出力した。
【０２８１】
＜実施例２〜１４、比較例１、２＞
実施例１において、受像シートとインクシートの組み合わせを表５に記載のように変更する以外は実施例１と同様にして、画像サンプル２〜１４、比較画像サンプル１、２を出力した。
【０２８２】
【表５】
2018089960.tif 000048
【０２８３】
［評価］
＜インバランス評価＞
実施例１〜１４、比較例１、２で得られた画像サンプルに対し、キセノン試験装置（ＡｔｌａｓＣｉ４０００、スガ試験機（株）製）を用いて、照度：３４０ｎｍで０．２８Ｗ／ｍ２、温度４０℃／相対湿度５０％の条件下で、３０時間の曝露試験を行った。
【０２８４】
初期のＯＤをＯＤ０とし、３０時間曝露後のＯＤをＯＤ３０としたとき、ＯＤ残存率を以下のように定義した。
ＯＤ残存率＝ＯＤ３０／ＯＤ０
【０２８５】
次いで、ブラック中のシアン、マゼンタ、イエロー各成分のＯＤ残存率を算出し、更に、各ＯＤ残存率の差分の絶対値を以下のように算出した。
Ｂｋ（Ｃ−Ｙ）＝１００×｜（イエロー成分ＯＤ残存率−シアン成分ＯＤ残存率）｜
Ｂｋ（Ｍ−Ｙ）＝１００×｜（イエロー成分ＯＤ残存率−マゼンタ成分ＯＤ残存率）｜
Ｂｋ（Ｃ−Ｍ）＝１００×｜（シアン成分ＯＤ残存率−マゼンタ成分ＯＤ残存率）｜
このＯＤ残存率の差分の絶対値を“インバランス”の指標として用いて、以下の基準でインバランスの評価を行った。
インバランスの評価結果を表６に示した。
Ａ（非常に良い）：インバランス＜１０
Ｂ（良い）：１０≦インバランス≦１５
Ｃ（劣る）：１５＜インバランス
【０２８６】
【表６】
2018089960.tif 000049
【産業上の利用可能性】
【０２８７】
インクシートと受像シートのセットから成る感熱転写記録用シートセットを用いれば、耐光性に優れ、かつ、インバランスが改善された画像を得ることができる。